(57)【要約】【課題】粘接着剤中の硬化剤含有量を、インライン方式により算出できる検出装置を提供する。【解決手段】光源と、当該光源から出射される光のうち選択的に特定範囲の波長の光であって、被測定物２を構成する物質の官能基が吸収を有する波長の光を透過するフィルターとを有し、当該フィルターを介して被測定物に光を照射する照射部１１と、  前記被測定物の反射光を受光し、受光した当該反射光を電気信号に変換する受光素子を備える受光部１２と、を、具備する照射受光機構１０と、  前記受光部１２からの電気信号により吸光度を算出し、当該吸光度に基づいて、前記被測定物の成分含有量を算出する演算部２１を具備する制御情報処理機構２０と、を、有し、  前記照射受光機構１０と、前記制御情報処理機構２０とが、情報信号を伝達する制御線によって接続されている構造の検査装置。【選択図】図１
2013231666.tif 000002
【特許請求の範囲】
【請求項１】
光源と、当該光源から出射される光のうち選択的に特定範囲の波長の光であって、被測定物を構成する物質の官能基が吸収を有する波長の光を透過するフィルターとを有し、当該フィルターを介して被測定物に光を照射する照射部と、
前記被測定物の反射光を受光し、受光した当該反射光を電気信号に変換する受光素子を備える受光部と、
を、具備する照射受光機構と、
前記受光部からの電気信号により吸光度を算出し、当該吸光度に基づいて、前記被測定物の成分含有量を算出する演算部を具備する制御情報処理機構と、
を、有し、
前記照射受光機構と、前記制御情報処理機構とが、情報信号を伝達する制御線によって接続されている、検出装置。
【請求項２】
前記被測定物と前記照射部との相対的な位置を調整する位置制御部を、さらに具備し、
前記位置制御部は、前記制御情報処理機構と、情報信号を伝達する制御線によって接続されており、
前記被測定物と前記照射部との相対的な位置関係は、前記制御情報処理機構から前記位置制御部へ送信される情報信号によって制御される、
請求項１に記載の検出装置。
【請求項３】
前記受光素子が、ＰｂＳｅ受光素子である、請求項１又は２に記載の検出装置。
【請求項４】
前記フィルターが、ＮＣＯ基の吸収波長近傍の赤外線を透過するフィルターである、
請求項１乃至３のいずれか一項に記載の検出装置。
【請求項５】
前記ＮＣＯ基の吸収波長が４．４μｍである、請求項４に記載の検出装置。
【請求項６】
前記被測定物が、イソシアネート化合物を硬化剤とするアクリル系樹脂である、請求項１乃至５のいずれか一項に記載の検出装置。
【請求項７】
４．４μｍより短波長であって前記被測定物を構成する物質の官能基が吸収を有する波長幅の赤外線を照射する他の照射部、又は、４．４μｍより短波長であって前記被測定物を構成する物質の官能基が吸収を有する波長幅の赤外線を選択的に透過する他のフィルターをさらに有し、
前記他の照射部から、又は前記他のフィルターを介して、出射された赤外線の反射光を変換した前記電気信号によって、前記演算部で、前記被測定物の厚みを算出する、請求項１乃至３のいずれか一項に記載の検出装置。
【発明の詳細な説明】
【技術分野】
【０００１】
本発明は、測定対象に特定波長の光線を照射し、吸光度を利用して測定対象の分析を行う検出装置に関する。
【背景技術】
【０００２】
従来から、各種接着剤や粘着剤の材料としては、例えば、ウレタン樹脂にイソシアネート化合物よりなる硬化剤を含有させたものが知られており、当該硬化剤であるイソシアネート化合物の分析には、ＦＴ−ＩＲ装置（フーリエ変換赤外分光光度計）が使用されている。
ＦＴ−ＩＲ装置により赤外線を被測定物に照射すると、当該被測定物の構成材料の分子の原子間振動エネルギーに相当する赤外線を吸収するため、反射光からこの吸収度合いを調べることによって、被照射物の構造の推定や定量を行うことができる。
【０００３】
一方、近年においては、特に粘着テープ用の糊材として、アクリル系粘着剤に硬化剤としてイソシアネート化合物を添加したものが主流となる傾向があり、粘着テープの糊材中のイソシアネート化合物の有無や具体的な含有量を特定することは、粘着テープの特性を検証するために重要である。
【０００４】
所定の波長域の赤外線を照射して、測定対象の分析を行う装置としては、従来から、リアルタイムでポリウレタン硬化反応の分析を行うＦＴ−ＩＲ装置（例えば、非特許文献１参照）や、ポリウレタン系接着剤の構造解析を行うＦＴ−ＩＲ装置（例えば、非特許文献２参照）が、提案されている。
また、被照射物に光を照射して反射光を受光し、被測定物の表面と裏面からの反射光を受光し、位相差から膜厚を検出するＦＴ―ＩＲ装置についての提案もなされている（例えば、特許文献１参照）。
【先行技術文献】
【非特許文献】
【０００５】
【非特許文献１】Thermo  Fisher  Scientific：Dr.  M. Bradley  他）
【非特許文献２】SCAS（住化分析センター資料）
【特許文献】
【０００６】
【特許文献１】特開２００４−２２６１７８号公報
【発明の概要】
【発明が解決しようとする課題】
【０００７】
しかしながら、非特許文献１、２に開示されているＦＴ−ＩＲを用いる方式は、微少な範囲を検出し解析するにとどまり、しかも、いずれもオフラインでの検出を行っており、測定値から構造解析を行うためには、さらに煩雑な処理を行わなければならず、実用上効率的に劣っているという問題を有している。
【０００８】
また、特許文献１に開示されているＦＴ−ＩＲ装置は、比較的短波長領域を含む広範囲の波長の赤外線を出射する光源を具備しており、特定の成分の検出等の目的で使用することを可能としてはいるが、短波長から長波長全域での吸収量測定に時間を要することから、異なった対象物を瞬時に検査することは困難であるという問題を有しており、粘着テープ塗工設備などのインラインで硬化剤を検出する用途には適さない。
【０００９】
そこで本発明においては、照射波長を測定対象に応じて選択される長波長側にも調整可能とし、かつ被測定物の吸光度から被測定物中の特定成分の含有の有無、さらにはその含有量を、インライン方式にて算出可能とした、検出装置を提供することを課題とする。
【課題を解決するための手段】
【００１０】
本発明者等は、前記課題を解決するため鋭意検討した結果、被測定物に特定波長の赤外線を照射し、反射光を受光する「照射受光機構」と、当該「照射受光機構」を駆動させ、かつ照射受光機構から得られる情報を処理する「制御情報処理機構」とが、情報信号を伝達可能な制御線によって接続されている構成の検出装置を見出し、本発明を成すに至った。
すなわち、本発明は以下の通りである。
【００１１】
〔１〕
光源と、当該光源から出射される光のうち選択的に特定範囲の波長の光であって、被測定物を構成する物質の官能基が吸収を有する波長の光を透過するフィルターとを有し、当該フィルターを介して被測定物に光を照射する照射部と、
前記被測定物の反射光を受光し、受光した当該反射光を電気信号に変換する受光素子を備える受光部と、
を、具備する照射受光機構と、
前記受光部からの電気信号により吸光度を算出し、当該吸光度に基づいて、前記被測定物の成分含有量を算出する演算部を具備する制御情報処理機構と、
を、有し、
前記照射受光機構と、前記制御情報処理機構とが、情報信号を伝達する制御線によって接続されている、検出装置。
〔２〕
前記被測定物と前記照射部との相対的な位置を調整する位置制御部を、さらに具備し、
前記位置制御部は、前記制御情報処理機構と、情報信号を伝達する制御線によって接続されており、
前記被測定物と前記照射部との相対的な位置関係は、前記制御情報処理機構から前記位置制御部へ送信される情報信号によって制御される、前記〔１〕に記載の検出装置。
〔３〕
前記受光素子が、ＰｂＳｅ受光素子である、前記〔１〕又は〔２〕に記載の検出装置。
〔４〕
前記フィルターが、ＮＣＯ基の吸収波長近傍の赤外線を透過するフィルターである、前記〔１〕乃至〔３〕のいずれか一に記載の検出装置。
〔５〕
前記ＮＣＯ基の吸収波長が４．４μｍである、前記〔４〕に記載の検出装置。
〔６〕
前記被測定物が、イソシアネート化合物を硬化剤とするアクリル系樹脂である、前記〔１〕乃至〔５〕のいずれか一に記載の検出装置。
〔７〕
４．４μｍより短波長であって前記被測定物を構成する物質の官能基が吸収を有する波長幅の赤外線を照射する他の照射部、又は、４．４μｍより短波長であって前記被測定物を構成する物質の官能基が吸収を有する波長幅の赤外線を選択的に透過するフィルターをさらに有し、
前記他の照射部から、又は前記フィルターを介して、出射された赤外線の反射光を変換した前記電気信号によって、前記演算部で、前記被測定物の厚みを算出する、前記〔１〕乃至〔３〕のいずれか一に記載の検出装置。
【発明の効果】
【００１２】
本発明によれば、被測定物中の特定成分の含有量や、被測定物の厚みを、高精度かつ迅速に測定することが可能な検出装置が得られる。
【図面の簡単な説明】
【００１３】
【図１】本実施形態の検出装置の概略構成図を示す。
【図２】イソシアネート系化合物の吸収波長スペクトル分布図を示す。
【図３】バンドパスフィルターの光透過率分布図を示す。
【図４】ロングパスフィルターの光透過率分布図を示す。
【図５】硬化剤の濃度と受光強度との関係を示す。
【図６】粘接着剤中の硬化剤含有量ごとの、吸収波長分布図を示す。
【発明を実施するための形態】
【００１４】
以下、本発明を実施するための形態（以下、「本実施形態」と言う。）について、図を参照して詳細に説明する。本発明は以下の記載に限定されるものではなく、その要旨の範囲内で種々変形して実施できる。
各図面中、上下左右等の位置関係は、特に断らない限り、各図面に示す位置関係に基づくものとし、さらに図面の寸法比率は、図示の比率に限定されるものではない。
さらに、本明細書において、「略」を付した用語は、当業者の技術常識の範囲内でその「略」を除いた用語の意味を示すものであり、「略」を除いた意味自体をも含むものとする。
【００１５】
〔検出装置〕
（構成）
本実施形態の検出装置は、
光源と、当該光源から出射される光のうち選択的に特定範囲の波長の光であって、被測定物を構成する物質の官能基が吸収を有する波長の光を透過するフィルターとを有し、当該フィルターを介して被測定物に光を照射する照射部と、
前記被測定物の反射光を受光し、受光した前記反射光を電気信号に変換する受光素子を備える受光部と、
を、具備する照射受光機構と、
前記受光部からの電気信号により吸光度を算出し、当該吸光度に基づいて、前記被測定物の成分含有量を算出する演算部を具備する制御情報処理機構と、
を、有し、
前記照射受光機構と、前記制御情報処理機構とが、情報信号を伝達する制御線によって接続されている検出装置である。
【００１６】
図１に、本実施形態の検出装置１の一例の概略構成図を示す。
本実施形態の検出装置１は、所定の波長範囲の赤外線を測定対象に照射し、かつ反射光を受光し、センサーとして機能する照射受光機構１０と、当該照射受光機構１０により得られた受光した反射光に応じた所定の情報に基づいて、前記照射受光機構１０、後述するトラバース装置１５と制御信号を送受信し、前記照射受光機構１０からの検査信号、トラバース装置１５からの位置情報信号を受信し、データ処理を行う、制御情報処理機構２０とにより構成されている。
【００１７】
（照射受光機構（センサー））
前記照射受光機構１０は、被測定物２に対して光を出射する光源と、選択的に特定範囲の波長の光のみを透過するフィルターとにより構成される照射部１１と、当該照射部１１と、前記被測定物２からの反射光を受光する受光部１２とを、具備している。
【００１８】
前記照射部１１を構成する光源としては、例えば、従来公知のタングステン電球や、発光ダイオード等を使用することができる。
前記照射部を構成するフィルターは、被測定物２の測定対象によって適宜選択することができる。
すなわち、被測定物２の材料特性、例えば官能基の特定波長範囲の吸収率を利用して当該被測定物２の構造を特定したり、含有率を測定したりすることを目的とする場合には、当該官能基の吸収波長領域の光のみを透過するフィルターを使用することが有効である。
【００１９】
例えば、被測定物２をアクリル樹脂系粘着剤、具体的には当該アクリル樹脂系粘着剤が塗工されている粘着テープとし、当該アクリル樹脂系粘接着剤中の硬化剤であるイソシアネート系化合物の含有量を測定対象とする場合を例として説明する。
アクリル樹脂系粘着剤は、アクリル酸及びその誘導体を主成分とし、イソシアネート基（ＮＣＯ基）を有する化合物を硬化剤としたとき、これとの重合反応により粘接着性を発揮するものである。
粘接着テープの特性の検証のためにも、アクリル樹脂系粘接着剤中の、イソシアネート化合物の含有量を測定することは実用上重要である。
【００２０】
図２に、硬化剤であるイソシアネート系化合物の吸収波長スペクトル分布図を示す。
横軸は波長、縦軸は透過率を示す。
図２に示すように、イソシアネート系化合物は、ＮＣＯ基により波長４．４μｍ近傍の光に対し、強い吸収を示す。
これにより、アクリル樹脂系粘接着剤中の硬化剤成分であるイソシアネート系化合物の含有量を検出することを目的とする場合、光源から出射される光のうち、波長４．４μｍ近傍の赤外線のみを選択的に透過するフィルターを用いることが好適である。
このようなフィルターとしては、まず、４．４μｍ近傍の波長の赤外線を選択的に透過するバンドパスフィルターを用いることが好ましい。
図３に当該バンドパスフィルターの光透過率分布図を示す。
横軸は波長、縦軸は光透過率を示す。
図３に示すように、当該バンドパスフィルターは、波長４．４μｍ近傍の光に対し、高い透過率を有している。
一方、図２に示すように、イソシアネート系化合物は、波長４．４μｍ近傍の赤外線以外の短波長領域の光に対しても吸収を示している。そこで、かかる短波長領域の光が被測定物２に照射されないように、前記バンドパスフィルターに、前記短波長領域の光を遮断するロングパスフィルターを積層し、併せてフィルターを構成ようにすることが好ましい。
図４に、当該ロングパスフィルターの光透過率分布図を示す。
横軸は波長、縦軸は光透過率を示す。
図４に示すように、ロングパスフィルターは、短波長領域の光に対して透過率が略ゼロであり、効果的に短波長領域の光を遮断することができる。
【００２１】
上述したように、被測定物２中の特定の成分の有無や含有量を測定することを目的とする場合、測定対象の吸収波長を選択的に透過するフィルターを用いるものとし、例えば、アクリル樹脂系粘着剤中の硬化剤であるイソシアネート系化合物の含有量を測定する場合、ＮＣＯ基が吸収を有する４．４μｍ近傍の波長の赤外線のみを選択的に透過するフィルターを用いることが好ましい。
【００２２】
図１に示すように、照射受光機構１０は、被測定物２との相対的な位置関係を調整可能な位置制御部１５、いわゆるトラバース装置を具備していてもよく、この場合、当該位置制御部１５に所定の動作命令を入力することによって駆動させるトラバース操作盤１６と、モータードライブ配線Ｌ１によって接続されている構成とすることができる。
トラバース操作盤１６は、図１中、後述する制御情報処理機構２０と制御線Ｌ３により電気的に接続されており、前記制御情報処理機構２０から制御線Ｌ３を介して送信される動作信号によって、所定の動作命令を位置制御部１５に送信するようになされている。
【００２３】
前記受光部１２は、被測定物２からの反射光を受光し、当該受光光を電気信号に変換する受光素子を具備している。
前記受光素子は、被測定物からの反射光の強弱に応じて変化する電流や電圧を電気信号に変換するため、測定対象、すなわち所望の検出波長に応じて選択することが好ましい。例えば、ＰｂＳｅ受光素子は１．２〜４．８μｍ、Ｓｉフォトダイオードは０．３〜１．１μｍ、ＰｂＳ受光素子は１．２〜３．０μｍの波長幅の受光光に好適である。
【００２４】
（制御情報処理機構）
前記照射受光機構１０は、前記受光部１２の受光素子によって変換された電気信号を送信するための制御線Ｌ２、Ｌ３を介して、当該電気信号を元に各種計算を行う機能を有するプログラマブルロジックコントローラ（programmable logic controller、PLC）である演算部２１を具備する制御情報処理機構２０と電気的に接続されている。当該演算部２１によって、前記電気信号から吸光度を算出し、さらには被測定物２の成分含有量が算出されるようになされている。
【００２５】
また、前記演算部２１は、被測定物２の成分含有量の算出の際に使用する検量線の情報を提供する検量線設定手段２２や、演算部２１によって算出されたデータを処理するデータ処理手段２３等と、制御線Ｌ４、Ｌ５を介して接続されている。
演算部２１には、照射情報機構１０からの送信された被測定物２に関するデータを処理するセンサーデータ処理ソフトが組み込まれている。これにより、照射情報処理機構（センサー）１０からの信号を受信し、データ処理を行い、被測定物２の特定の測定対象の量、例えば硬化物の濃度情報に変換する。
また、演算部２１には、トラバース制御ソフトが組み込まれているものとすることができる。これにより照射情報処理機構（センサー）１０及び位置制御部（トラバース装置）１５との間で制御信号を送受信させ、照射情報処理機構１０からの検査信号や、位置制御部１５からの位置信号に応じてデータ処理を行い、相互の位置関係を制御することができる。
制御情報処理機構２０は、制御線Ｌ６、Ｌ８、Ｌ９を介して所定の電源３０及び外部電源３１と接続されており、電力の供給を受けている。
さらに、演算部２１は、前記位置制御部１５による動作命令のための信号を入出力する機能を有しており、当該動作命令に関する信号は、制御線Ｌ３を介してトラバース制御盤１６に送信され、さらに制御線Ｌ２を介して照射部１１や受光部１２に送信され、被測定物２との相対的な位置関係を制御するようになされている。
さらにまた、演算部２１は、被測定物２の切り替わり情報であるカット信号、被測定物２の搬送速度情報であるロール速度信号、被測定物２の搬送停止情報であるライン停止信号等、所定の動作信号を入力する信号入力機構４０と、制御線Ｌ７を介して接続されており、当該信号入力機構４０により入力された所定の動作信号が、制御線Ｌ３、Ｌ２を介して照射受光機構１３側に送信されることにより、前記フィルターの設置状態や、被測定物２の動作状態、反射光測定の開始、継続、停止等を制御するようになされている。
【００２６】
〔検出装置を用いた検出方法〕
次に、上述した本実施形態の検出装置を用いた、検出方法について、図１を参照して説明する。
なお、下記においては、被測定物２として、イソシアネート系化合物の硬化剤を含有するアクリル樹脂系粘着剤を具備する粘着テープを用い、当該粘着剤中の硬化剤の含有量を測定する例について説明するが、本実施形態の検出装置は、測定対象を以下に限定するものではない。
【００２７】
まず、照射部１１から上述したフィルターを介して、４．４μｍ近傍の波長の赤外線を前記被測定物２に照射する。
このとき、フィルターは、所定のモーターにより回転させ、波長の異なる赤外線を断続的にパルス波にて照射するようにしてもよい。
前記位置制御手段１５を、制御情報処理機構２０から送信した駆動信号に従って、位置操作盤１６により動作させ、光源１１と被測定物２との相対的な位置を制御する。
このとき、位置制御手段１５を、縦方向、横方向（ｘ軸方向、ｙ軸方向）に動作させることにより、被測定物２の面内における、測定対象の分布を測定することもできる。
【００２８】
前記４．４μｍ近傍の波長の赤外線は、図２に示すように、イソシアネート化合物のＮＣＯ基により選択的に吸収されるため、反射光は減衰する。当該反射光を所定の凹面鏡（図示せず）にて集光して受光部１２により受光する。
受光した赤外線を電気信号に変換し、照射波長ごとにデジタル化し、吸光度信号とする。
【００２９】
リファレンス用の被測定物として、前記イソシアネート化合物の硬化剤を含有しない前記アクリル系粘着剤の塗液、及び濃度既知のイソシアネート系の硬化剤を含有するアクリル系粘着剤の塗液を調製し、離型フィルムに塗工して、それぞれ粘着テープを作製し、同様に吸光度信号を得る。
【００３０】
前記受光素子により変換された吸光度信号を、制御線Ｌ２、Ｌ３を介して制御情報処理機構２０に送信し、前記リファレンス用の被測定物の吸光度信号を検量線として、演算部２１により、吸光度信号の比較により、前記被測定物のアクリル系粘着剤中の、硬化剤の含有量を算出する。
図５に、硬化剤の量（ｇ／ｍ2）と、受光強度との関係を示す。図５に示すように、硬化剤の量が多くなるに従い、前記４．４μｍ近傍の波長の赤外線は被測定物２により吸収され、受光強度は弱くなる傾向がある。かかる傾向を利用し、受光光を吸光度信号化することにより硬化剤の含有量が算出できる。
【００３１】
具体的に、前記硬化剤の濃度を、０質量％、０．５質量％、１．０質量％、１．５質量％とした４種類の粘接着テープ（サンプル１〜４）を作製した。
図６に示すように、粘接着剤のみ（硬化剤濃度０．０質量％、図６中、実線で示す。）の吸収スペクトルと、硬化剤の濃度の異なる三種類、すなわち、硬化剤濃度０．５質量％（図６中、破線で示す。）の吸収スペクトル、硬化剤濃度１．０質量％（図６中、一点鎖線で示す。）の吸収スペクトル、硬化剤濃度１．５質量％（図６中、二点鎖線で示す。）の吸収スペクトルを比較すると、先ず、硬化剤の有無によって、明らかに、４．４μｍ近傍で吸収量に顕著な差が見られる。
また、濃度差によりピークの高さの違いが検出され、これを利用することにより、容易に濃度を算出することができる。
【００３２】
〔検出装置を用いた膜厚の測定方法〕
本実施形態の検出装置は、上述したように、アクリル系粘着剤中の、イソシアネート化合物硬化剤の含有量の他、被測定物の膜厚を測定する装置として利用できる。
図１に示す構成の検出装置において基本的な構造は同様とするが、照射部１１として、例えば上述した４．４μｍ近傍の波長の赤外線よりも短波長、具体的には１．２μｍ〜２．５μｍの赤外光を照射可能な光源、必要に応じてフィルターを使用する。
また、被測定物２としては、前記波長領域に吸収を有する官能基、例えば、ＯＨ基（１．９μｍ近傍）やＣＨ基（２．３μｍ近傍）を具備する材料により形成されているものを使用する。
測定対象は、当該被測定物の厚みとする。
所定の波長の赤外線が、物質（官能基）に固有の波長を吸収する特性、及びその量、すなわち、被測定物の厚みにより、吸収量が変化する性質を利用して、吸収により減衰した反射光を受光素子により受光し、受光光強度に応じた電流、電圧の変化により受光信号に変換し、当該受光信号を演算部によって算出し、膜厚に換算する。
【００３３】
本実施形態の検出装置において、上述した４．４μｍ近傍の赤外線を照射する照射部と、上記のような、被測定物を構成する物質（官能基）が吸収を有する波長の赤外線を照射する照射部とを、両方具備する構成とすることにより、アクリル樹脂系粘着剤中のイソシアネート化合物よりなる硬化剤の含有量は長波長の赤外線を照射することによって測定可能であり、膜厚は上記４．４μｍよりも短波長の所定の波長の赤外線を照射することによって測定可能となり、極めて実用上の利便性の高い検出装置とすることができる。
また、単一の光源を具備する構成の検出装置においても、特定波長を透過する複数種類のフィルターを、適宜用い、照射する赤外線の波長幅を調整するようにしてもよい。
すなわち、アクリル樹脂系粘着剤中のイソシアネート化合物よりなる硬化剤の含有量を測定対象とする場合には、長波長領域の光を超過するフィルターを用いればよく、測定対象の膜厚を測定対象とする場合には、当該測定対象の材料が具備する官能基に応じた波長幅の光を透過するフィルターを用いればよい。
【実施例】
【００３４】
以下、具体的な実施例と比較例を挙げて具体的に説明するが、本発明はこれらに限定されるものではない。
【００３５】
〔実施例〕
＜被測定物＞
アクリル樹脂系粘接着剤（綜研化学社製  SKダイン）にイソシアネート化合物よりなる硬化剤（日本ポリウレタン社製  CORONATE L）  を添加した塗液を調製し、離型フィルム（東レフィルム加工社製  セラピール）  に塗工し、粘接着テープを作製し、被測定物とした。
＜検出装置＞
光源と後述するフィルターを有する照射部１１と、受光部１２とを有する照射受光機構１０を備える検出装置として、（株）チノー社製  多成分計測装置（ＩＲＭＤ５２５２）を用い、これに、位置制御手段１５としてトラバーサー装置、さらには前記照射受光機構１０から送信された信号を受信し、当該信号を元に各種計算を行うプログラマブルロジックコントローラ（programmable logic controller、PLC）である演算部２１を具備する制御情報処理機構２０とを組み合わせ、図１に示す構造のインライン型の検出装置を得た。
＜フィルター＞
前記検出装置の照射部を構成する、透過波長に選択性を有するフィルターとしては、１．５ｍｍのサファイアガラスに、４．４μｍ近傍の波長を透過するバンドパスフィルター（チノー社製  バンドパスフィルター）、及び不要な短波長域の光を遮断するロングパスフィルター（チノー社製  ロングパスフィルター）を蒸着した光学フィルターを用いた。
＜測定方法＞
先ず、照射部１１において、光源からフィルターを介して４．４μｍ近傍の波長の赤外線を前記被測定物に照射した。
なお、前記フィルターは、所定のモーターにより回転することにより波長の異なる赤外線を断続的に、パルス波にて照射した。
また、前記位置制御手段１５を、位置操作盤１６により操作し、照射部１１と被測定物２との相対的な位置を制御した。
前記４．４μｍ近傍の波長の赤外線は、前記被測定物の接着剤中の硬化剤成分の官能基（ＮＣＯ基）の振動により吸収されるため、これにより減衰した反射光を、所定の凹面鏡（図示せず）にて集光して受光素子１２により受光した。
当該赤外線を、受光素子（図示せず）にて電気信号に変換し、照射した各波長ごとにデジタル化し、吸光度信号とした。
リファレンス用の被測定物として、前記イソシアネート系の硬化剤を含有しない前記アクリル系粘着剤の塗液、及び濃度既知のイソシアネート系の硬化剤を含有するアクリル系粘着剤の塗液を調製し、離型フィルムに塗工して、それぞれ粘着テープを作製し、同様に吸光度信号を得た。
前記各々の吸光度信号を制御情報処理機構２０に送信し、前記比較用測定物の吸光度信号を検量線として、演算部２１により、吸光度信号の比較により、前記被測定物であるアクリル系粘着剤中のイソシアネート化合物の硬化剤濃度を算出した。
実施例の検出装置によれば、粘着剤中のイソシアネート化合物の含有量を、高精度かつ迅速に測定できた。
【００３６】
〔比較例１〕
ＦＴ−ＩＲ装置（PERKIN  ELMER社製  Spectrum Two）を用いて、前記〔実施例１〕と同様の被測定物を用い、透過率の測定を行った。
測定の際、被測定物を所望の形状に加工したり、光照射部との位置関係を調整しながら設置したりする作業や、得られた測定値からさらに吸光度を算出し、かつ吸光度を既存のデータベースと比較し、構造分析を行う過程において、多大な時間を要した。
【００３７】
〔比較例２〕
特開２００４−２２６１７８号公報の、図１に開示されている構成の、分光式厚さ計測装置を用いて、前記〔実施例１〕と同様の被測定物を用い、透過率の測定を行った。
９００〜１２００ｎｍの短波長域の光源であるため、測定ピークが微小となり、測定精度が極めて低いものとなった。
【産業上の利用可能性】
【００３８】
本発明の検出装置は、アクリル系樹脂中のイソシアネート化合物硬化剤の含有量の測定や、単一の材料組成により形成されている膜の厚み測定装置として、産業上利用可能性を有している。
【符号の説明】
【００３９】
１  検出装置
２  被測定物
１０  照射受光機構（センサー）
１１  照射部
１２  受光部
１５  位置制御部（トラバース装置）
１６  位置操作盤（トラバース操作盤）
２０  制御情報処理機構
２１  演算部
２２  検量線設定手段
２３  データ処理手段
３０  電源
３１  外部電源
４０  信号入力機構
Ｌ１  モータードライブ配線
Ｌ２〜Ｌ９  制御線
【図１】
2013231666.tif 000003
【図２】
2013231666.tif 000004
【図３】
2013231666.tif 000005
【図４】
2013231666.tif 000006
【図５】
2013231666.tif 000007
【図６】
2013231666.tif 000008